【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】
【請求項１】  錠前装置の鍵穴に挿入して錠を開ける鍵において、当該鍵は、把持部と、この把持部に連接して錠の鍵穴に挿入するキープレートとを有し、キープレートには、鍵の使用者を識別するＩＤ情報を格納したＩＤ情報格納チップが取り付けられており、前記ＩＤ情報格納チップには、ＩＤ情報を記憶するメモリと、メモリからＩＤ情報を読み出し当該ＩＤ情報を光信号に変換して鍵穴内から錠前装置へ送出する光信号送信部と、鍵穴内において前記錠前装置側から供給される光を受けて起電力を発生させ当該起電力によって光信号送信部の回路を駆動させる電源部と、が設けられていることを特徴とした鍵。
【請求項２】  光信号送信部の光信号送出動作を行う発光ダイオードと、電源部の光起電力動作を行う発光ダイオードとが設けられていることを特徴とした請求項１記載の鍵。
【請求項３】  光信号は、赤外線の光信号であることを特徴とした請求項１又は請求項２記載の鍵。
【請求項４】  請求項１乃至請求項３の何れか１つに記載の鍵を利用して開錠する錠前装置であって、鍵のキープレートが挿入される鍵穴を有し、この鍵穴に挿入された鍵のキープレートに取り付けられているＩＤ情報格納チップの電源部へ光を供給する手段を有し、前記鍵穴の内壁面には、鍵のキープレートが鍵穴に挿入された際に鍵のＩＤ情報格納チップに対向する領域に、開口部が形成されており、鍵から送信されたＩＤ情報の光信号を受ける光信号受信部が前記開口部から鍵穴の内部に露出形成されており、その光信号受信部により受信されたＩＤ情報を予め与えられている開錠許可ＩＤ情報に照合して該開錠許可ＩＤ情報内に前記受信したＩＤ情報に一致するＩＤ情報が検出されたときには開錠を許可する開錠許可部が設けられていることを特徴とした錠前装置。
【請求項５】  鍵と鍵穴が合ったときに鍵が回動して開錠する形式の錠前装置であって、鍵穴に挿入された鍵の回動をロックする回動ロック手段と、開錠許可部により開錠が許可されたときに回動ロック手段のロックを解除するロック解除部とが設けられており、ロック解除部により回動ロック手段のロックが解除されて鍵が回動したことにより開錠する構成を備えたことを特徴とする請求項４記載の錠前装置。
【請求項６】  鍵のキープレートには凹凸部が形成されている構成と成しており、鍵穴の内壁面には鍵のキープレートの凹凸部と嵌め合う凹凸部が形成されており、また、鍵穴に挿入された鍵の回動をロックする回動ロック手段が設けられており、開錠許可部により開錠が許可され、かつ、鍵穴の内壁面の凹凸部に鍵のキープレートの凹凸部が合致したときに回動ロック手段のロックを解除するロック解除部が設けられ、このロック解除部により回動ロック手段のロックが解除されて鍵が回動したことにより開錠する構成を備えたことを特徴とする請求項４記載の錠前装置。
【請求項７】  光信号受信部は、発光ダイオードにより構成されていることを特徴とした請求項４乃至請求項６の何れか１つに記載の錠前装置。
【請求項８】  鍵穴が扉に設けられている錠前装置であって、開錠許可部を含む回路部は、錠前装置が取り付けられる扉の内部あるいは扉の室内側に配置されることを特徴とした請求項４乃至請求項７の何れか１つに記載の錠前装置。
【請求項９】  開錠許可部により開錠を許可されたＩＤ情報と、その開錠を許可した時間情報とのうちの少なくともＩＤ情報を開錠履歴情報として格納する開錠履歴情報格納部が設けられていることを特徴とした請求項４乃至請求項８の何れか１つに記載の錠前装置。
【請求項１０】  開錠履歴情報格納部に格納されている開錠履歴情報を読み出して送信する開錠履歴情報送信部が設けられていることを特徴とした請求項９記載の錠前装置。
【手続補正２】
【補正対象書類名】明細書
【補正対象項目名】０００３
【補正方法】変更
【補正の内容】
【０００３】
【発明が解決しようとする課題】
そのようなピッキングを防止すべく、様々な構成の錠前（錠前装置）および鍵が提案されているが、今のところ、ピッキングを確実に回避できる錠前および鍵は無いのではないかと言われている。
【手続補正３】
【補正対象書類名】明細書
【補正対象項目名】０００５
【補正方法】変更
【補正の内容】
【０００５】
【課題を解決するための手段】
上記目的を達成するために、この発明は次に示す構成をもって前記課題を解決する手段としている。すなわち、第１の発明は、錠前装置の鍵穴に挿入して錠を開ける鍵において、当該鍵は、把持部と、この把持部に連接して錠の鍵穴に挿入するキープレートとを有し、キープレートには、鍵の使用者を識別するＩＤ情報を格納したＩＤ情報格納チップが取り付けられており、前記ＩＤ情報格納チップには、ＩＤ情報を記憶するメモリと、メモリからＩＤ情報を読み出し当該ＩＤ情報を光信号に変換して鍵穴内から錠前装置へ送出する光信号送信部と、鍵穴内において前記錠前装置側から供給される光を受けて起電力を発生させ当該起電力によって光信号送信部の回路を駆動させる電源部と、が設けられていることを特徴としている。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
第２の発明は、第１の発明の構成を備え、光信号送信部の光信号送出動作を行う発光ダイオードと、電源部の光起電力動作を行う発光ダイオードとが設けられていることを特徴としている。
【手続補正７】
【補正対象書類名】明細書
【補正対象項目名】０００９
【補正方法】変更
【補正の内容】
【０００９】
第３の発明は、第１又は第２の発明の構成を備え、光信号は、赤外線の光信号であることを特徴としている。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
第４の発明は、第１〜第３の発明の何れか１つの発明の鍵を利用して開錠する錠前装置であって、鍵のキープレートが挿入される鍵穴を有し、この鍵穴に挿入された鍵のキープレートに取り付けられているＩＤ情報格納チップの電源部へ光を供給する手段を有し、前記鍵穴の内壁面には、鍵のキープレートが鍵穴に挿入された際に鍵のＩＤ情報格納チップに対向する領域に、開口部が形成されており、鍵から送信されたＩＤ情報の光信号を受ける光信号受信部が前記開口部から鍵穴の内部に露出形成されており、その光信号受信部により受信されたＩＤ情報を予め与えられている開錠許可ＩＤ情報に照合して該開錠許可ＩＤ情報内に前記受信したＩＤ情報に一致するＩＤ情報が検出されたときには開錠を許可する開錠許可部が設けられていることを特徴としている。
【手続補正１０】
【補正対象書類名】明細書
【補正対象項目名】００１２
【補正方法】変更
【補正の内容】
【００１２】
第５の発明は、第４の発明の構成を備え、鍵と鍵穴が合ったときに鍵が回動して開錠する形式の錠前装置であって、鍵穴に挿入された鍵の回動をロックする回動ロック手段と、開錠許可部により開錠が許可されたときに回動ロック手段のロックを解除するロック解除部とが設けられており、ロック解除部により回動ロック手段のロックが解除されて鍵が回動したことにより開錠する構成を備えたことを特徴としている。
【手続補正１１】
【補正対象書類名】明細書
【補正対象項目名】００１３
【補正方法】変更
【補正の内容】
【００１３】
第６の発明は、第４の発明の構成を備え、鍵のキープレートには凹凸部が形成されている構成と成しており、鍵穴の内壁面には鍵のキープレートの凹凸部と嵌め合う凹凸部が形成されており、また、鍵穴に挿入された鍵の回動をロックする回動ロック手段が設けられており、開錠許可部により開錠が許可され、かつ、鍵穴の内壁面の凹凸部に鍵のキープレートの凹凸部が合致したときに回動ロック手段のロックを解除するロック解除部が設けられ、このロック解除部により回動ロック手段のロックが解除されて鍵が回動したことにより開錠する構成を備えたことを特徴としている。
【手続補正１２】
【補正対象書類名】明細書
【補正対象項目名】００１４
【補正方法】変更
【補正の内容】
【００１４】
第７の発明は、第４〜第６の発明の何れか１つの発明の構成を備え、光信号受信部は、発光ダイオードにより構成されていることを特徴としている。
【手続補正１３】
【補正対象書類名】明細書
【補正対象項目名】００１５
【補正方法】変更
【補正の内容】
【００１５】
第８の発明は、第４〜第７の発明の何れか１つの発明の構成を備え、鍵穴が扉に設けられている錠前装置であって、開錠許可部を含む回路部は、錠前装置が取り付けられる扉の内部あるいは扉の室内側に配置されることを特徴としている。
【手続補正１４】
【補正対象書類名】明細書
【補正対象項目名】００１６
【補正方法】変更
【補正の内容】
【００１６】
第９の発明は、第４〜第８の発明の何れか１つの発明の構成を備え、開錠許可部により開錠を許可されたＩＤ情報と、その開錠を許可した時間情報とのうちの少なくともＩＤ情報を開錠履歴情報として格納する開錠履歴情報格納部が設けられていることを特徴としている。
【手続補正１５】
【補正対象書類名】明細書
【補正対象項目名】００１７
【補正方法】変更
【補正の内容】
【００１７】
第１０の発明は、第９の発明の構成を備え、開錠履歴情報格納部に格納されている開錠履歴情報を読み出して送信する開錠履歴情報送信部が設けられていることを特徴としている。
【手続補正１６】
【補正対象書類名】明細書
【補正対象項目名】００３２
【補正方法】変更
【補正の内容】
【００３２】
受信用の発光ダイオード２３は、鍵１（鍵のキープレート３）が鍵穴２１に挿入された際に鍵１の光信号送信用の発光ダイオード１２に対向する位置に配置されており、その発光ダイオード１２から出力された光信号（ＩＤ情報）を受信し当該受信した光信号を電気信号に変化して出力するものである。換言すれば、受信用の発光ダイオード２３は、ＩＤ情報読み取り部である光信号受信部として機能するものである。
【手続補正１７】
【補正対象書類名】明細書
【補正対象項目名】００６３
【補正方法】変更
【補正の内容】
【００６３】
また、鍵のＩＤ情報格納チップには、ＩＤ情報を格納するメモリと、ＩＤ情報を光信号に変換して送出する光信号送信部とが設けられ、また、錠前装置には、ＩＤ情報の光信号を受信する光信号受信部が設けられている構成としたので、赤外線などの光信号を利用して、鍵のＩＤ情報を錠前装置に送信する構成と成すので、例えば電磁波を利用してＩＤ情報を錠前装置に送信する場合に比べて、周辺の機器からの悪影響を受け難く、鍵から錠前装置に、確実にＩＤ情報を送信させることができる。